(57)【要約】【課題】ユーザが歩行しながら、携帯端末のモニター画面を見た場合でも、接触などの危険性を低減する携帯端末を提供する。【解決手段】モニター画面１１６とカメラ１１１を備える携帯端末であって、前記モニター画面１１６に同時に複数の画像を表示し、そのうちの少なくとも１つの画像はカメラ１１１で撮影する画像であることを特徴とし、本構成により、ユーザの対向側の風景をメールやテレビなどのアプリケーション画面と同時にモニター画面１１６に表示するようにしたから、歩行中にモニター画面１１６を注視しても、ユーザが何かに接触したり、衝突したりする危険性を低減できる。【選択図】図３
2006148632.tif 000002
【特許請求の範囲】
【請求項１】
モニター画面とカメラを備える携帯端末であって、前記モニター画面に同時に複数の画像を表示し、そのうちの少なくとも１つの画像は前記カメラで撮影する画像であることを特徴とする携帯端末。
【請求項２】
カメラで撮影する画像は、携帯端末を保持するユーザからみて前方の景色であることを特徴とする請求項１記載の携帯端末。
【発明の詳細な説明】
【技術分野】
【０００１】
本発明は、携帯テレビや携帯電話などの携帯端末に関するものである。
【背景技術】
【０００２】
ここ数年モバイルＰＣや携帯電話などの携帯端末が急速に普及している。また近い将来、地上波デジタル放送によるモバイル端末向け放送も開始され、モバイル放送受信用の携帯テレビも普及することが予想され、今後急速に、携帯テレビも含めて、携帯端末を使うユーザが増加することが予測される。このような場合、ユーザが歩行中に、携帯電話や携帯テレビのモニター画面に映し出されたメールやゲーム画面、テレビ画面などを注視することもありうるので、歩行中に障害物や人物に衝突あるいは、接触する危険性も増加する。特許文献１は、２つのカメラを搭載し、ユーザと対向側の風景を同時に撮影することができる電子機器を開示している。
【特許文献１】特開２００４−１９３８６０号公報
【発明の開示】
【発明が解決しようとする課題】
【０００３】
特許文献１に示された携帯端末では、ユーザと対向側の風景を映し出すことはできるが、歩行しながら、メールやテレビなどのアプリケーションを見た場合の危険性を回避するめの解決策にはならない。
【０００４】
本発明は、上記問題点を解決するためになされたものであり、アプリケーション画面と同時に、ユーザと対向側の景色を見ることができる携帯端末を提供することを目的とする。
【課題を解決するための手段】
【０００５】
上記課題を解決するために、本発明にかかる携帯端末は、モニター画面とカメラを備える携帯端末であって、前記モニター画面に同時に複数の画像を表示し、そのうちの少なくとも１つの画像はカメラで撮影する画像であることを特徴とする。
【０００６】
また、本発明にかかる携帯端末は、上記携帯端末において、カメラで撮影する画像は、携帯端末を保持するユーザからみて前方の景色であることを特徴とするものである。
【発明の効果】
【０００７】
本発明の携帯端末は、ユーザの対向側の風景をメールやテレビなどのアプリケーション画面と同時にモニター画面に表示するようにしたから、歩行中にモニター画面を注視しても、ユーザが何かに接触したり、衝突したりする危険性を低減できる。
【発明を実施するための最良の形態】
【０００８】
以下、本発明の実施の形態について、図面を用いて説明する。なお、ここで示す実施の形態はあくまでも一例であって、必ずしもこの実施の形態に限定されるものではない。
【０００９】
（実施の形態１）
以下に、本発明の実施の形態にかかる携帯端末について説明する。
【００１０】
図１は、本実施の形態１による携帯端末の外部の構成を示す図である。図１（ａ）は携帯端末の背面を示し、（ｂ）は携帯端末の前面を示す図である。
【００１１】
１０１は携帯端末の背面に搭載されたカメラである。１０２は携帯端末の筺体である。ここでは携帯端末を、折りたたみ式と仮定しており、図１は端末を開いたものとして描いている。１０３は携帯端末の接合部で、携帯電話の操作面とモニター画面がある部分を結合するもので、貝殻のように開閉するための回転軸を有する。
【００１２】
１０４は携帯端末のモニター画面で、カメラで映す画像や、端末のアプリケーション画面を表示するものである。１０５は、キーパッドなどのユーザインタフェースで、ユーザが携帯端末の操作を行うためのものである。
【００１３】
画面１０４の構成を図２に示す。モニター画面１０４は第１の画面、第２の画面という２画面より構成される。ただし、キー操作によって、画面が全画面で１画面になったりしてもよい。
【００１４】
１０６はカメラ機能を起動するボタンである。図１では、携帯端末の操作面に配置しているが、筺体の側面に配置してもかまわないし、メニュー画面から起動するようにしてもかまわない。
【００１５】
次に、図３に実施の形態１による携帯端末の内部の構成を示す。１１１はカメラで、図１の端末の背面のレンズ１０１を介して、ユーザと対向側の風景を撮影するものである。１１２は画像処理部で、カメラ１１１で撮影した画像を所定フォーマットの画像イメージに変換するものである。１１３はアプリケーション処理部で、携帯端末の各種アプリケーションを実行するものである。ここでアプリケーションとは、メールやゲーム、テレビ機能などがあるが、それらに限定されるものではない。
【００１６】
１１４はアプリケーション画面処理部で、アプリケーション画像を生成するものである。
【００１７】
１１５は画面合成部で、画像処理部１１２から出力される画像と、アプリケーション画面処理部１１４から出力される画像を合成するものである。１１６は表示部で、画面合成部１１５で合成された画像を画面に表示するものである。表示部１１６は例えば、液晶や、有機ＥＬなどがある。
【００１８】
１１７は制御部で、携帯端末全体の制御をするものである。１１８はユーザインタフェースで、ユーザが携帯端末を操作するものであり、図１のキーパッド１０５に相当する。
【００１９】
以上のように構成された本発明の携帯端末の実施の形態１の動作について説明する。
【００２０】
まず、ユーザがアプリケーションを起動するために携帯端末のユーザインタフェース１１８を操作する。具体的には、ユーザは図１のキーパッド１０５のいずれかを操作する。
【００２１】
制御部１１７はユーザインタフェース１１８からの入力にしたがって、アプリケーションを起動させ、アプリケーション処理部１１３でアプリケーションを実行する。アプリケーションが実行されたら、アプリケーション画面処理部で、アプリケーション画面を生成する。
【００２２】
ユーザは歩行中にメールを見たり、テレビを見たりするなど、アプリケーション画面を楽しむことがあり得る。このとき、ユーザはユーザインタフェース１１８を操作して、カメラ機能を起動する。カメラ１１１は携帯端末のレンズ１０２を介して前方の風景をリアルタイムに映し始める。画像処理部１１２はカメラで映した画像を端末の画面に合うように所定のフォーマットにする。画面処理部１１２から出力された画像は、画面合成部に供給され、画面合成部１１５で、アプリケーション画面と合成される。図２の第１の画面にカメラがリアルタイムに映す前方の画像、第２の画面にアプリケーション画面が配置されるものとする。
【００２３】
このようにすることで、端末の画面において、ユーザはアプリケーション画面を見ながら、同時に前方の風景や様子を観察することができるので、モニター画面を注視するあまり、何か障害物などと接触したり、衝突したりする危険性を低減することが可能になる。
【００２４】
以上のように、本発明の携帯端末では、携帯端末の画面にメールやゲーム、テレビなどのアプリケーションと同時に、携帯端末に装備されるカメラでリアルタイムに前方の風景を映し出すようにしたので、ユーザが歩行中に、アプリケーション画面を見ながら、同時に前方の景色や様子を観察することができるので、ユーザがアプリケーションを注視するあまり、何かと接触したり、衝突したりする危険性を低減することが可能になる。
【００２５】
（実施の形態２）
以下に、本発明の他の実施の形態にかかる携帯端末について説明する。
【００２６】
図４は、本実施の形態による携帯端末の構成を示す図である。（実施の形態１）と同一の構成要素には同一の符号を付し、その説明は省略する。本実施の形態例では、（実施の形態１）に加えてカメラを水平に保つ仕組みを付加し、カメラが装備される筺体が斜めに傾いていてもカメラは前方の景色を映すようにしたものである。
【００２７】
図４において、２１１は傾き検出部でカメラの胴体の傾きを検出する。２１２は水平保持制御部２１１で検出された傾きに応じて、カメラの胴体を水平に保つよう、フィードバックをかけるものである。
【００２８】
カメラの胴体を図５に示す。２２１はカメラの胴体である。２２２はカメラのレンズである。２２３は撮像部で、レンズより入力された光信号を電気信号に変換するもので、ＣＣＤなどである。傾き検出部２１２は、水平に対するカメラの光軸の傾きＡを検出し、水平保持制御部２１１は  光軸の傾きを「０」にするようにカメラ胴体を回転させ、水平を保つ。
【００２９】
以上のように、本発明は（実施の形態１）の構成に加えて、傾き検出部で検出されたカメラの傾きを水平保持制御部で「０」にするようにしたから、携帯端末が傾いていてもカメラは常に水平を向き、前方の風景を映し出すことができる。
【００３０】
（実施の形態３）
以下に、本発明の実施の形態３にかかる携帯端末について説明する。
【００３１】
図６は、実施の形態３による携帯端末の構成を示す図である。実施の形態１と同一の構成要素には同一の符号を付し、その説明は省略する。実施の形態３は、実施の形態１に加えて、カメラの胴体を回転させる仕組みを付加し、ユーザが水平に対するカメラの角度を自由に変えることができるようにしたものである。これにより、柔軟にカメラの角度を変えることができ、ユーザがより注意しておきたい方向にカメラの向きを合わせることが可能となる。
【００３２】
３１１はモータで、カメラの胴体を回転させるものである。３１２はモータ制御部で、モータを制御するものである。図７にカメラとモータの関係を示す。図７（ａ）はカメラを正面から見た図であり、図７（ｂ）はカメラを上から見た図である。３２１はカメラ、３２２はモータ、３２３はモータがカメラを回転させる回転軸である。ここでは図示しないが、回転軸とモータの間にギアが入ってもかまわない。
【００３３】
以上のように構成された本発明の携帯端末の実施の形態３の動作について説明する。
【００３４】
ユーザがカメラを起動したあと、前方の景色が見えるようにキーパッド１０５のいずれかを使って、カメラの角度を調整する。これに用いるキーパッドは、図示はしないが、携帯電話等で装備される十字キーや、あるいは、テンキーでもかまわないし、あるいは、それ以外のキーでもかまわない。ユーザのキー操作にしたがって、モータ制御部３１２はモータを回転させ、カメラを所定の角度に調整する。
【００３５】
以上のように、実施の形態３による携帯端末では、実施の形態１に加えて、カメラの向きをユーザの操作に応じて、モータで回転するようにしたから、ユーザがより注意しておきたい方向にカメラの向きを合わせることが可能となる。
【００３６】
なお、上記の実施の形態では、携帯端末の画面の上半分にカメラ画像、下半分にアプリケーション画面を配置したが、上下が入れ替わってもかまわない。また、携帯端末の画面の左右どちらか半分の画面にカメラ画像、残りの半分の画面にアプリケーション画面を配置してもかまわない。また、カメラ画像の画面をアプリケーション画面に比べて小さくしてもかまわないし、逆に大きくしてもかまわない。さらに、カメラ画像、アプリケーション画面の両者の配置も限定しない。
【００３７】
また、上記の実施の形態では折りたたみ式携帯電話に似た形を例にとって説明したが、特に、折りたたみ式の形状に限るものではなく、端末の形状が、画面とユーザインタフェースが同一面に配置される形状であってもかまわない。
【産業上の利用可能性】
【００３８】
本発明にかかる携帯端末は、アプリケーション画面同時に画面の一部にカメラで映した前方の風景を表示することができる携帯端末として有用である。
【図面の簡単な説明】
【００３９】
【図１】本発明の携帯端末の外観を示す図
【図２】本発明の携帯端末のモニター画面を示す図
【図３】本発明の携帯端末の実施の形態１の構成を示す図
【図４】本発明の携帯端末の実施の形態２の構成を示す図
【図５】携帯端末のカメラを示す図
【図６】本発明の携帯端末の実施の形態３の構成を示す図
【図７】実施の形態３におけるカメラとモータの関係を示す図
【符号の説明】
【００４０】
１０１    カメラ
１０２    携帯端末の筺体
１０３    接合部
１０４    モニター画面
１０５    キーパッド
１０６    カメラ機能起動用ボタン
１１１    カメラ
１１２    画像処理部
１１３    アプリケーション処理部
１１４    アプリケーション画面処理部
１１５    画面合成部
１１６    表示部
１１７    制御部
１１８    ユーザインタフェース
２１１    傾き検出部
２１２    水平保持制御部
３１１    モータ
３１２    モータ制御部
【図１】
2006148632.tif 000003
【図２】
2006148632.tif 000004
【図３】
2006148632.tif 000005
【図４】
2006148632.tif 000006
【図５】
2006148632.tif 000007
【図６】
2006148632.tif 000008
【図７】
2006148632.tif 000009